(57)【要約】  分析対象の試料が配置される試料配置部（４２２）と、試料配置部（４２２）に配置された試料に光を照射する複数の光源を有する光源部（４１１、４１２）と試料（４２２）から発せられる光を検出する検出部（４２５）と、試料配置部（４２２）、光源部（４１１、４１２）、及び検出部（４２５）を収容する筐体（４１、４２）と、複数の光源のうちの1乃至複数の光源の組み合わせ毎に予め定められた温度の情報が保存された記憶部（７１）と、複数の光源のうちの１乃至複数の光源の組み合わせに関する指定を受け付ける光源指定受付部（７２１）と、光源指定受付部が受け付けた光源の組み合わせに対応する温度を記憶部から読み出して目標温度に設定する目標温度設定部（７２２）と、筐体の内部の温度を目標温度に維持する温度調整部（４１６、４１７、４２６、４２７、７２３）とを備える分光光度計（４０）。
2020183595.tif 000002
【特許請求の範囲】
【請求項１】
分析対象の試料が配置される試料配置部と、
それぞれ前記試料配置部に配置された試料に光を照射する複数の光源を有する光源部と、
前記試料からの光を検出する検出部と、
前記試料配置部、前記光源部、及び前記検出部を収容する筐体と、
前記複数の光源のうちの1乃至複数の光源の組み合わせ毎に予め定められた温度の情報が保存された記憶部と、
前記複数の光源のうちの、点灯させる1乃至複数の光源の組み合わせに関する指定を受け付ける光源指定受付部と、
前記光源指定受付部が受け付けた光源の組み合わせに対応する温度を前記記憶部から読み出して目標温度に設定する目標温度設定部と、
前記筐体の内部の温度を前記目標温度に維持する温度調整部と
を備える分光光度計。
【請求項２】
前記複数の光源が、重水素ランプとタングステンランプを含み、
前記記憶部には、重水素ランプのみが点灯する場合の温度情報、タングステンランプのみが点灯する場合の温度情報、及び、重水素ランプ及びタングステンランプが点灯する際の温度情報が保存されている、請求項１に記載の分光光度計。
【請求項３】
前記筐体が、前記光源部を収容する光源収容部と、前記検出部を収容する検出部収容部を備えており、
前記温度の情報が、前記光源収容部と前記検出器収容部のそれぞれについて定められており、
前記目標温度が、前記光源収容部と前記検出器収容部のそれぞれについて設定され、
前記温度調整部が、前記光源収容部と前記検出器収容部をそれぞれ前記目標温度に維持する、請求項１記載の分光光度計。
【請求項４】
請求項１に記載の分光光度計を備えた液体クロマトグラフ。
【発明の詳細な説明】
【技術分野】
【０００１】
本発明は、分光光度計に関する。
【背景技術】
【０００２】
試料中の成分を同定したり定量したりするために、液体クロマトグラフが広く用いられている。液体クロマトグラフでは、試料中の成分をカラムで分離し、各成分を検出する。カラムから溶出した試料液中の成分の測定には、分光光度計が広く用いられている。【０００３】
分光光度計では、光源から試料に光を照射し、試料と相互作用した後の光（透過光、蛍光など）を分光素子で波長分離して各波長の光の強度を測定する。このような分光光度計では、例えば、光源として重水素ランプ、分光素子として回折格子が用いられる。【０００４】
分光光度計が有する分光素子の中には、測定中に温度が変化すると分光特性が変化するものがある。例えば、回折格子の場合、温度変化に伴って全体が伸縮し、格子間の間隔が変化して波長分離特性が変化する。このように波長分離特性に変化が生じると測定精度が低下する。また、液体クロマトグラフの検出器として分光光度計を使用する場合、温度変化に伴って移動相による光吸収量が変化し、ドリフトが生じることもある。【０００５】
上記のような問題が生じることを防止するために、分光光度計の多くは、分光光度計の周辺の温度（環境温度）の変化にかかわらず分光光度計の内部の温度を一定に保つための温調機構を備えている（例えば特許文献１）。温調機構は、例えば、分光光度計の内部の温度を測定する温度計測部と、分光光度計の内部を加熱するヒータと、該ヒータの出力を調整する出力調整部を有している。【０００６】
分光光度計の使用時に測定光源であるランプを点灯すると、ランプから熱が発せられて分光光度計の内部の温度が上昇する。そのため分光光度計では、環境温度よりも高い目標温度を予め設定しておき、試料の測定中に分光光度計の内部がその目標温度に維持されるようにヒータの出力を調整する。
【先行技術文献】
【特許文献】
【０００７】
【特許文献１】特開2014-48176号公報
【発明の概要】
【発明が解決しようとする課題】
【０００８】
分光光度計の中には、紫外領域の光を吸収する試料と可視領域の光を吸収する試料の両方を測定可能とするために、紫外領域の光を発する重水素ランプと可視領域の光を発するタングステンランプを備えたものがある。こうした分光光度計では、試料の光吸収特性に応じてその一方又は両方を点灯させて測定を行う。【０００９】
重水素ランプとタングステンランプでは、点灯時に発せられる熱量が異なり、分光光度計の内部の温度上昇の程度が異なる。また、分光光度計の内部の容積等によって異なるが、重水素ランプとタングステンランプの両方を点灯した場合と、タングステンランプのみを点灯した場合では、分光光度計の内部の温度差が15℃程度にもなる場合がある。【００１０】
分光光度計のヒータにより発生可能な熱量は有限であり、温調機構によって調整することが可能な温度範囲は限られている。複数の光源を備えた分光光度計では、使用する光源の数や種類、またその組み合わせよって上記のように大きな温度差が生じうるため、適切な目標温度を設定して分光光度計の内部を温調することが難しいという問題があった。【００１１】
本発明が解決しようとする課題は、複数の光源を備えた分光光度計において、測定に使用する光源の数や種類、またその組み合わせにかかわらず、その内部を適切に温調することである。
【課題を解決するための手段】
【００１２】
上記課題を解決するために成された本発明に係る分光光度計は、
分析対象の試料が配置される試料配置部と、
それぞれ前記試料配置部に配置された試料に光を照射する複数の光源を有する光源部と、
前記試料からの光を検出する検出部と、
前記試料配置部、前記光源部、及び前記検出部を収容する筐体と、
前記複数の光源のうちの1乃至複数の光源の組み合わせ毎に予め定められた温度の情報が保存された記憶部と、
前記複数の光源のうちの、点灯させる1乃至複数の光源の組み合わせに関する指定を受け付ける光源指定受付部と、
前記光源指定受付部が受け付けた光源の組み合わせに対応する温度を前記記憶部から読み出して目標温度に設定する目標温度設定部と、
前記筐体の内部の温度を前記目標温度に維持する温度調整部と
を備える。
【発明の効果】
【００１３】
前記複数の光源は、同一種類の光源であってもよいし、異なる種類の光源であってもよい。また、前記組み合わせには、1つの光源のみ及び複数の光源の組み合わせの両方が含まれうる。
前記試料配置部には試料の形状に応じた適宜のものが用いられる。例えば気体試料や液体試料を測定する場合には試料配置部としてフローセルや標準セルが用いられ、固体試料を測定する場合には試料配置部として試料台が用いられる。
前記温度調整部には、例えば、筐体の内部を加熱するヒータと、筐体の内部の温度を測定する温度計測部と、該温度計測部と目標温度の差に応じてヒータの出力を調整する出力調整部を備えたものが用いられる。
前記複数の光源の組み合わせ毎に予め定められた温度は、各光源を点灯したときの筐体の内部の温度上昇の程度と、温度調整部による温度調整可能範囲とに基づき決定される。【００１４】
本発明に係る分光光度計は、複数の光源を有する光源部を備えており、分析対象の試料の吸光特性等に応じてそれらのうちの1乃至複数の光源を点灯させて試料の測定を行う。この分光光度計では、測定に先立ち、試料の測定に使用する1乃至複数の光源の組み合わせを指定すると、指定した光源の組み合わせに対応する温度が記憶部から読み出され、目標温度に設定される。そして、測定中は、温度調整部によって筐体内部の温度が目標温度に維持される。
本発明に係る分光光度計では、使用する光源の組み合わせに応じて目標温度が設定されるため、測定に使用する光源の組み合わせにかかわらず、その内部を適切に温調することができる。
【図面の簡単な説明】
【００１５】
【図１】本発明に係る分光光度計の一実施例を備えた液体クロマトグラフの要部構成図。
【図２】本実施例の分光光度計の要部構成図。
【図３】本実施例における目標温度の定め方を説明する概念図。
【図４】点灯させるランプの組み合わせと、光源室及び分光室の上昇温度の関係を説明する表。
【図５】ヒータ使用時の光源室及び分光室の上昇温度を説明する表。
【図６】点灯させるランプの組み合わせと、光源室及び分光室の目標温度の関係を示す表。
【発明を実施するための形態】
【００１６】
本発明に係る分光光度計の一実施例について、以下、図面を参照して説明する。本実施例の分光光度計は液体クロマトグラフにおいて試料に含まれる成分を測定するために用いられる。
【００１７】
図１は、本実施例の分光光度計を備えた液体クロマトグラフ１の要部構成図である。この液体クロマトグラフ１は、送液ユニット１０、オートサンプラ２０、カラムオーブン３０、分光光度計４０、システムコントローラ５０、及び制御・処理部７０を備えている。
【００１８】
送液ユニット１０は、移動相の溶液を収容した容器１１ａ、１１ｂと、該容器１１ａ、１１ｂ内の溶液を送液する送液ポンプ１２ａ、１２ｂと、２種類の溶液を混合するミキサー１３とを含んでいる。カラムオーブン３０にはカラム３１が収容されている。
【００１９】
送液ユニット１０で調製された移動相は、オートサンプラ２０を経てカラムオーブン３０内のカラム３１に導入される。オートサンプラ２０には、予め１乃至複数の分析対象の液体試料がセットされている。オートサンプラ２０の内部は液体試料が揮発したり変質したりするのを防止するために、温調機構２１（典型的にはクーラー）によって所定の温度に維持されている。オートサンプラ２０では、その内部にセットされた１乃至複数の分析対象の液体試料が順次、移動相に注入される。移動相に注入された液体試料は移動相の流れに乗ってカラム３１を通過する。
【００２０】
カラムオーブン３０は、カラム３１の温調機構３２（典型的にはヒータ）を備えている。カラム３１を通過する間に試料中の各成分が時間的に分離される。
【００２１】
図２に分光光度計４０の概略構成を示す。分光光度計４０の筐体内部には、光源室（ランプハウス）４１と、分光室４２が設けられている。図２では光源室４１と分光室４２を隣接配置しているが、これらを離間して配置してもよい。光源室４１には、該光源室４１内の所定位置の温度を測定するセンサ４１６と、光源室４１内を加熱するヒータ４１７が設けられている。また、分光室４２にも、該分光室４２内の所定位置の温度を測定するセンサ４２６と、分光室４２内を加熱するヒータ４２７が設けられている。本実施例におけるセンサ４１６、４２６はサーミスタであるが、温度を計測可能な適宜のものを用いればよい。ヒータ４１７、４２７への通電量は、光源室４１及び分光室４２がそれぞれ所定の温度（後述の目標温度）に維持されるように、制御・処理部７０の測定実行部７２３によってフィードバック制御されている。
【００２２】
光源室４１の内部には重水素ランプ４１１とタングステンランプ４１２が収容されている。測定実行部７２３による制御の下でミラー４１３を回転させることにより、重水素ランプ４１１とタングステンランプ４１２からの光が択一的に分光室４２に導入される。液体試料に含まれる成分に紫外光に対する感度が高いもの（成分Ａ）と可視光に対する感度が高いもの（成分Ｂ）の両方が含まれる場合には、測定中、重水素ランプ４１１とタングステンランプ４１２の両方を点灯させておき、成分Ａがカラム３１から溶出しフローセル４２２に導入される時間帯には紫外光をフローセル４２２に照射し、成分Ｂがフローセル４２２に導入される時間帯には可視光をフローセル４２２に照射するようにミラー４１３が制御される。液体試料に紫外光に対する感度が高い成分のみが含まれる場合は重水素ランプ４１１のみを使用（点灯）させ、液体試料に可視光に対する感度が高い成分のみが含まれる場合はタングステンランプ４１２のみを使用（点灯）させる。このように、本実施例では使用し得る（点灯させ得る）光源の組み合わせが3通り存在する。
なお、重水素ランプ４１１とタングステンランプ４１２との両方を点灯させる場合において、ミラー４１３で切り替えるのではなく、重水素ランプ４１１とタングステンランプ４１２との両方からの光をフローセル４２２に照射するようにしてもよい。  
【００２３】
分光室４２には、集光レンズ４２１、フローセル４２２、スリット４２３、回折格子４２４、及びフォトダイオードアレイ４２５が配置されている。フローセル４２２には、カラム３１において分離された試料中の成分が順次、導入される。光源室４１から導入された光は、集光レンズ４２１により集光されフローセル４２２に照射される。フローセル４２２を通過する成分を透過した光はスリット４２３を通り、回折格子４２４によって波長分離されたあと、フォトダイオードアレイ４２５に入射する。フォトダイオードアレイ４２５を構成する各素子は、予め決められたサンプリング時間に入射した光量に応じた信号を出力する。フォトダイオードアレイ４２５からの出力信号は、制御・処理部７０に送信され、順次、記憶部７１に保存される。
【００２４】
制御・処理部７０は、記憶部７１に加え、機能ブロックとして、測定条件入力受付部７２１、メソッドファイル作成部７２２、及び測定実行部７２３を備えている。制御・処理部７０の実体は一般的なコンピュータであり、予めインストールされた分析用プログラム７２をプロセッサで実行することによりこれらの機能ブロックが具現化される。また、制御・処理部７０には、入力部７５と表示部７６が接続されている。
【００２５】
記憶部７１には、測定時（光源点灯時）の光源室４１と分光室４２の目標温度に関する情報が保存されている。具体的には、（１）重水素ランプ４１１のみ点灯、（２）タングステンランプ４１２のみ点灯、及び（３）重水素ランプ４１１とタングステンランプ４１２の両方を点灯、の3つの場合のそれぞれについて、光源室４１と分光室４２の目標温度を個別に定めたものが保存されている。
【００２６】
目標温度は、重水素ランプとタングステンランプの点灯時の発熱により光源室４１と分光室４２の内部の温度がそれぞれどの程度上昇するかを考慮して定められる。この点について、以下説明する。
【００２７】
図３は、目標温度の定め方を説明する概念図である。図３に示すように、光源点灯時の発熱量は、タングステンランプのみ点灯時（Wのみ）、重水素ランプのみ点灯時（D2のみ）、重水素ランプ及びタングステンランプ点灯時（W+D2）の順に大きくなる。図３ではこれらの発熱量を実線で囲んだ枠により示している。これは、光源室４１と分光室４２における、ランプの点灯後の、点灯前（装置起動時）の環境温度（室温）からの温度上昇を表している。図４に、本実施例における、光源の点灯時の上昇温度を示す。
【００２８】
次に、光源点灯後に光源室４１と分光室４２にそれぞれ設けられているヒータ４１７、４２７への通電量を最大にしたときの光源室４１と分光室４２の上昇温度を考慮する。図３ではヒータの発熱可能量を破線で囲んだ枠により示している。即ち、各光源の点灯時に、光源室４１と分光室４２が最大で何度まで上昇するかを表す。各ランプの点灯時の目標温度は、ヒータ４１７、４２７への通電量を最大にしたときの光源室４１と分光室４２の上昇温度（最大上昇温度）に対する予め決められた割合（本実施例では50%）の温度により設定する。図５に、本実施例における、ヒータへの通電による上昇温度（最大上昇温度と、その50%に相当する温度）を示す。
【００２９】
図４及び図５に示す数値を用いて定めた目標温度の一覧を図６に示す。重水素ランプ４１１とタングステンランプ４１２の両方を点灯した場合の、光源室４１の目標温度は室温＋26.5℃、分光室４２の目標温度は室温＋21℃である。また、重水素ランプ４１１のみを点灯した場合の、光源室４１の目標温度は室温＋22.5℃、分光室４２の目標温度は室温＋18℃である。さらに、タングステンランプ４１２のみを点灯した場合の、光源室４１の目標温度は室温＋12.5℃、分光室４２の目標温度は室温＋13℃である。本実施例では、目標温度を、室温に対する相対温度として定めたが、室温の変化が小さい環境で分光光度計を使用する場合などには、目標温度を絶対的な温度として定めるようにしてもよい。
【００３０】
次に、本実施例の液体クロマトグラフ１を用いた測定の流れを説明する。ここでは測定の流れのうち、本実施例における特徴的な工程のみを説明し、従来同様の手順や測定の詳細に関する説明は省略する。
【００３１】
使用者が入力部７５により所定の操作を行うと、測定条件入力受付部７２１は、表示部７６に測定条件を使用者に入力させる画面を表示する。この測定条件には、測定時に使用する光源（重水素ランプ４１１、タングステンランプ４１２）の指定が含まれる。その他、測定条件には、移動相の種類や流速、カラムオーブン３０の温度、分光光度計４０においてデータを取得するサンプリング間隔などが含まれる。これらの測定条件の入力は、表示部７６に表示された入力欄に使用者が入力することにより行うことができる。使用者が測定条件を入力すると、メソッドファイル作成部７２２により、それらを記載したメソッドファイルが作成される。また、メソッドファイル作成部７２２は、使用者が指定した光源の組み合わせに対応する温度情報を記憶部７１から読み出して、光源室４１と分光室４２の目標温度を設定し、その値をメソッドファイルに書き加えて記憶部７１に保存する。なお、予め記憶部７１にメソッドファイルが保存されている場合は、そのメソッドファイルを読み出すことにより測定条件を入力する操作に代えることもできる。その場合、測定条件入力受付部７２１は、読み出されたメソッドファイルに記載された光源の種類に基づいて光源室４１と分光室４２の目標温度を設定する。
【００３２】
メソッドファイルが作成され、使用者が所定の操作により測定の開始を指示すると、測定実行部７２３はメソッドファイルに記載された測定条件に基づいて試料を測定する。測定実行部７２３は、光源室４１のセンサ４１６、分光室４２のセンサ４２６により、装置起動時の（重水素ランプ４１１、タングステンランプ４１２を点灯する前の）光源室４１及び分光室４２の温度をそれぞれ計測する。そして、これから実行しようとする測定において使用する光源の組み合わせに応じて、光源室４１及び分光室４２の目標温度の絶対値を設定する。目標温度が予め絶対的な数値として定められている場合にはこの工程は不要である。測定実行部７２３は、重水素ランプ４１１及び／又はタングステンランプ４１２の通電開始後、ランプの点灯状態が安定するまで所定時間、待機したあと、光源室４１のヒータ４１７、分光室４２のヒータ４２７への通電を開始する。そして、所定の時間間隔で、光源室４１のセンサ４１６、分光室４２のセンサ４２６により、光源室４１及び分光室４２の温度をそれぞれ計測し、その温度と目標温度の差に基づいて、ヒータ４１７、４２７へ通電量をフィードバック制御する。フィードバック制御が開始されると、測定制御部７３は、メソッドファイルに記載された条件に従って試料を測定する。
【００３３】
従来、分光光度計の温度調整は、一般に、測定時に使用する（点灯される）光源の組み合わせにかかわらず一律に設定されていた。例えば、図４及び図５に示した例において、発生する熱量が中間的である、重水素ランプ４１１のみを点灯したときを基準として目標温度を定めた場合、光源室４１の目標温度は室温＋22.5℃、分光室４２の目標温度は室温＋18℃となる。しかし、例えばタングステンランプ４１２のみを点灯する測定では、光源室４１のヒータ４１７の出力を最大にしても20℃までしか上昇させることができず、光源室４１を室温＋22.5℃に温調することは不可能となる。このように、使用する光源にかかわらず一律に分光光度計の目標温度を設定すると、光源室４１や分光室４２を目標温度に維持することができない場合があった。また、例えば重水素ランプ４１１とタングステンランプ４１２の両方を点灯する測定では、光源室４１のヒータの出力を小さくして3.5℃の加熱に留めれば光源室４１を室温＋22.5℃に温調することが一応可能ではあるものの、装置起動時の温度（即ち目標温度の設定に使用した温度）から3.5℃以上上昇すると温調することが不可能になる。つまり、仮に温調可能であったとしても室温の変動に対する追従性が悪い（追従可能な温度範囲が狭い）。
【００３４】
これに対し、本実施例の液体クロマトグラフ１では、測定時に使用する（即ち点灯される）光源の組み合わせ毎に、光源室４１と分光室４２の目標温度が設定されるため、測定に使用する光源の組み合わせにかかわらず、その内部を適切に温調することができる。
【００３５】
上記実施例は一例であって、本発明の趣旨に沿って適宜に変更することができる。
上記実施例では液体クロマトグラフ１において用いられる分光光度計について説明したが、分光光度計のみを使用する場合や、他の分析装置に分光光度計を組み込んで使用する場合も上記同様に構成することができる。
【００３６】
上記実施例では、光源室４１と分光室４２のそれぞれに１組のセンサ４１６、４２６とヒータ４１７、４２７を配置したが、光源室４１や分光室４２の大きさに応じて複数組のセンサとヒータを配置することもできる。また、光源室４１や分光室４２に、ヒータ４１７、４２７からの熱を循環させるためのファンなどを配置してもよい。
【００３７】
上記実施例では、光源室４１と分光室４２のそれぞれに個別の目標温度を設定する場合を説明したが、光源室４１と分光室４２に共通の目標温度を設定しても良い。また、光源室４１と分光室４２だけでなく、フローセル４２２にもセンサ及びヒータを設けるとともに、フローセル４２２にも別の目標温度を設定してもよい。例えば、フローセル４２２の内部を冷却あるいは加熱された液体試料が流通する場合、フローセル４２２のみが局所的に冷却あるいは加熱される。こうした場合には、フローセル４２２を個別に温調するように構成するとよい。
【００３８】
上記実施例では、光源として重水素ランプとタングステンランプを備えた構成について説明したが、他の種類の光源を備えた分光光度計においても上記同様の構成を採ることができる。さらに、同種の光源を複数備え、点灯する光源の数によって試料に照射する光量を変更可能に構成した分光光度計においても上記同様の構成を採ることができる。即ち、上記実施例における光源の組み合わせには、複数の同種の光源も含まれうる。
【００３９】
上記実施例では、重水素ランプ４１１及びタングステンランプ４１２からの光を試料に照射し、試料からの透過光を波長分離して検出する構成の分光光度計を説明したが、分光光度計の構成は測定の目的に応じて適宜に変更することができる。例えば、重水素ランプ４１１及びタングステンランプ４１２から発せられた光を波長分離し、1乃至複数の所定波長の光（単色光）を試料に照射するように構成することもできる。その場合は、フォトダイオードアレイ４２５に代えて1つの光検出素子のみを有するものを用いることができる。さらに、試料からの透過光に限らず、試料からの蛍光や散乱光などを測定するように構成することもできる。その他、上記実施例では液体クロマトグラフ１のカラム３１から溶出する液体試料を測定する構成としたが、気体試料や固体試料の測定にも用いることができる。例えば固体試料の場合は、該固体試料を所定位置に固定する試料載置台などを用いればよい。
【００４０】
［態様］
上述した複数の例示的な実施形態は、以下の態様の具体例であることが当業者により理解される。
【００４１】
（第１態様）
本発明の第１態様に係る分光光度計は、
分析対象の試料が配置される試料配置部と、
それぞれ前記試料配置部に配置された試料に光を照射する複数の光源を有する光源部と、
前記試料からの光を検出する検出部と、
前記試料配置部、前記光源部、及び前記検出部を収容する筐体と、
前記複数の光源のうちの1乃至複数の光源の組み合わせ毎に予め定められた温度の情報が保存された記憶部と、
前記複数の光源のうちの、点灯させる1乃至複数の光源の組み合わせに関する指定を受け付ける光源指定受付部と、
前記光源指定受付部が受け付けた光源の組み合わせに対応する温度を前記記憶部から読み出して目標温度に設定する目標温度設定部と、
前記筐体の内部の温度を前記目標温度に維持する温度調整部と
を備える。
【００４２】
前記複数の光源は、同一種類の光源であってもよいし、異なる種類の光源であってもよい。
前記試料配置部には試料の形状に応じた適宜のものが用いられる。例えば気体試料や液体試料を測定する場合には試料配置部としてフローセルや標準セルが用いられ、固体試料を測定する場合には試料配置部として試料台が用いられる。
前記温度調整部には、例えば、筐体の内部を加熱するヒータと、筐体の内部の温度を測定する温度計測部と、該温度計測部と目標温度の差に応じてヒータの出力を調整する出力調整部を備えたものが用いられる。
前記複数の光源の組み合わせ毎に予め定められた温度は、各光源を点灯したときの筐体の内部の温度上昇の程度と、温度調整部による温度調整可能範囲とに基づき決定される。
第１態様の分光光度計は、複数の光源を有する光源部を備えており、分析対象の試料の吸光特性に応じてそれらのうちの1乃至複数の光源を点灯させて試料の測定を行う。この分光光度計では、測定に先立ち、試料の測定に使用する1乃至複数の光源の組み合わせを指定すると、入力した光源の組み合わせに対応する温度が記憶部から読み出され、目標温度に設定される。そして、測定中は、温度調整部によって筐体内部の温度が目標温度に維持される。
第１態様の分光光度計では、使用する光源の組み合わせに応じて目標温度が設定されるため、測定に使用する光源の組み合わせにかかわらず、その内部を適切に温調することができる。
【００４３】
（第２態様）
本発明の第２態様に係る分光光度計は、上記第１態様の分光光度計において、
前記複数の光源が、重水素ランプとタングステンランプを含み、
前記記憶部には、重水素ランプのみが点灯する場合の温度情報、タングステンランプのみが点灯する場合の温度情報、及び、重水素ランプ及びタングステンランプが点灯する際の温度情報が保存されている。
【００４４】
本発明の第２態様に係る分光光度計は、重水素ランプとタングステンランプを備えている。重水素ランプは主に紫外領域の光を発し、タングステンランプは主に可視領域の光を発する。従って、第２態様の分光光度計では、試料の吸光特性に応じて、紫外領域から可視領域の幅広い光を照射し測定することができる。
【００４５】
（第３態様）
本発明の第３態様に係る分光光度計は、上記第１態様又は第２態様の分光光度計において、
前記筐体が、前記光源部を収容する光源収容部と、前記検出部を収容する検出部収容部を備えており、
前記温度の情報が、前記光源収容部と前記検出器収容部のそれぞれについて定められており、
前記目標温度が、前記光源収容部と前記検出器収容部のそれぞれについて設定され、
前記温度調整部が、前記光源収容部と前記検出器収容部をそれぞれ前記目標温度に維持する。
【００４６】
第３態様の分光光度計では、筐体が、光源部を収容する光源収容部と、検出部を収容する検出部収容部を備えており、それらについて個別に目標温度が設定される。分光光度計において光源を点灯すると、光源収容部の温度上昇の方が検出器収容部の温度上昇よりも大きくなる。従って、光源収容部の目標温度は検出器収容部の目標温度よりも高く設定しておく。第２態様の分光光度計では、光源収容部と検出器収容部がそれぞれ個別に目標温度に維持されるため、より確実に温調することができる。
【００４７】
（第４態様）
本発明の第４態様に係る液体クロマトグラフは、上記第１態様から第３態様のいずれかの分光光度計を備える。
【００４８】
液体クロマトグラフでは、試料に含まれる成分の同定や定量に分光光度計が広く用いられている。第４態様の液体クロマトグラフは、測定に使用する光源の種類や組み合わせにかかわらず、その内部が適切に温調されるため、ドリフトやノイズなどを抑えて試料を正確に同定したり定量したりすることができる。
【符号の説明】
【００４９】
１…液体クロマトグラフ
１０…送液ユニット
１１ａ…容器
１２ａ…送液ポンプ
１３…ミキサー
２０…オートサンプラ
２１…温調機構
３０…カラムオーブン
３１…カラム
３２…温調機構
４０…分光光度計
４１…光源室
４１１…重水素ランプ
４１２…タングステンランプ
４１３…ミラー
４１６…センサ
４１７…ヒータ
４２…分光室
４２１…集光レンズ
４２２…フローセル
４２３…スリット
４２４…回折格子
４２５…フォトダイオードアレイ
４２６…センサ
４２７…ヒータ
５０…システムコントローラ
７０…制御・処理部
７１…記憶部
７２…分析用プログラム
７２１…測定条件入力受付部
７２２…メソッドファイル作成部
７２３…測定実行部
７５…入力部
７６…表示部
【図１】
2020183595.tif 000003
【図２】
2020183595.tif 000004
【図３】
2020183595.tif 000005
【図４】
2020183595.tif 000006
【図５】
2020183595.tif 000007
【図６】
2020183595.tif 000008
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
分析対象の試料が配置される試料配置部と、
それぞれ前記試料配置部に配置された試料に光を照射する複数の光源を有する光源部と、
前記試料からの光を検出する検出部と、
前記試料配置部、前記光源部、及び前記検出部を収容する筐体と、
前記複数の光源のうちの1乃至複数の光源の組み合わせ毎に予め定められた温度の情報が保存された記憶部と、
前記複数の光源のうちの、点灯させる1乃至複数の光源の組み合わせに関する指定を受け付ける光源指定受付部と、
前記光源指定受付部が受け付けた光源の組み合わせに対応する温度を前記記憶部から読み出して目標温度に設定する目標温度設定部と、
前記筐体の内部の温度を前記目標温度に維持する温度調整部と
を備える分光光度計。
【請求項２】
前記複数の光源が、重水素ランプとタングステンランプを含み、
前記記憶部には、重水素ランプのみが点灯する場合の温度情報、タングステンランプのみが点灯する場合の温度情報、及び、重水素ランプ及びタングステンランプが点灯する際の温度情報が保存されている、請求項１に記載の分光光度計。
【請求項３】
前記筐体が、前記光源部を収容する光源収容部と、前記検出部を収容する検出部収容部を備えており、
前記温度の情報が、前記光源収容部と前記検出部収容部のそれぞれについて定められており、
前記目標温度が、前記光源収容部と前記検出部収容部のそれぞれについて設定され、
前記温度調整部が、前記光源収容部と前記検出部収容部をそれぞれ前記目標温度に維持する、請求項１記載の分光光度計。
【請求項４】
請求項１に記載の分光光度計を備えた液体クロマトグラフ。
【手続補正２】
【補正対象書類名】明細書
【補正対象項目名】００４５
【補正方法】変更
【補正の内容】
【００４５】
（第３態様）
本発明の第３態様に係る分光光度計は、上記第１態様又は第２態様の分光光度計において、
前記筐体が、前記光源部を収容する光源収容部と、前記検出部を収容する検出部収容部を備えており、
前記温度の情報が、前記光源収容部と前記検出部収容部のそれぞれについて定められており、
前記目標温度が、前記光源収容部と前記検出部収容部のそれぞれについて設定され、
前記温度調整部が、前記光源収容部と前記検出部収容部をそれぞれ前記目標温度に維持する。
【手続補正３】
【補正対象書類名】明細書
【補正対象項目名】００４６
【補正方法】変更
【補正の内容】
【００４６】
第３態様の分光光度計では、筐体が、光源部を収容する光源収容部と、検出部を収容する検出部収容部を備えており、それらについて個別に目標温度が設定される。分光光度計において光源を点灯すると、光源収容部の温度上昇の方が検出部収容部の温度上昇よりも大きくなる。従って、光源収容部の目標温度は検出部収容部の目標温度よりも高く設定しておく。第２態様の分光光度計では、光源収容部と検出部収容部がそれぞれ個別に目標温度に維持されるため、より確実に温調することができる。
【国際調査報告】
2020183595.tif 000009
2020183595.tif 000010
2020183595.tif 000011
2020183595.tif 000012